(57)【要約】【課題】低コストで袖口や裾の水濡れや汚れの付着を防ぐことができ、水や汚れを扱う場所で着用しても、通気性を確保して快適に着用することができる衣服を提供する。【解決手段】両袖部１４，１６の袖口１４ａ，１６ａに撥水性を持たせた撥水部１８を備える。撥水部１８には、生地に透湿防水加工が施されている。撥水部１８は、袖部１４，１６の表面部に設けられている。透湿防水加工は、炭化フッ素からなる撥水剤を付けるものであり、生地のフィラメントの表面に炭化フッ素を付着させて、撥水性を持たせるとともに、通気性が確保されている。両脚部の裾部分２４ａ，２６ａに撥水性を持たせたものでも良い。【選択図】図１
2011122278.tif 000002
【特許請求の範囲】
【請求項１】
両袖部の袖口または両脚部の裾部分に撥水性を持たせた撥水部が設けられ、前記撥水部には、生地に透湿防水加工が施されていることを特徴とする衣服。
【請求項２】
前記撥水部は、前記袖部または両脚部の裾部分の表面に設けられている請求項１記載の衣服。
【請求項３】
前記透湿防水加工は炭化フッ素からなる撥水剤を取り付けるものであり、生地のフィラメントの表面に炭化フッ素を付着させて撥水性を持たせるとともに通気性が確保される請求項２記載の衣服。
【請求項４】
前記撥水部は、前記袖部の肘付近から袖口側の先端部分に設けられている請求項２記載の衣服。
【請求項５】
前記撥水部は、前記脚部の膝付近から裾側の先端部分に設けられていることを特徴とする請求項２記載の衣服。
【発明の詳細な説明】
【技術分野】
【０００１】
この発明は、袖に水や汚れが付きやすい場所で着用する衣服に関する。
【背景技術】
【０００２】
従来、医療現場では衛生を保つために、医療従事者が頻繁に手を洗っている。この手を洗う動作において、衣服の袖が濡れて不快になったり不衛生になったりすることがある。これを防ぐために、手を洗うたびに袖をめくり上げなければならず、面倒であった。また、野球やゴルフのウエアには、長袖のインナーを着用することがあり、土等の汚れがインナーの袖に着くことがある。これも不快であり不衛生になり、また洗濯の作業が大変であった。
【０００３】
一方、袖に水や汚れが付きやすい場所で着用する衣服で、袖が汚れないように工夫したものがある。特許文献１に開示されている釣り用衣服は、前後見頃部は吸水性を有し、左右袖部の外側および内側の双方は、撥水性を有するものである。これにより、着用者の汗等によってべとつくことがなく、且つ、着用者が手や腕を水に浸けても良好な着心地を維持することができ、さらに冷えを感じない効果がある。
【先行技術文献】
【特許文献】
【０００４】
【特許文献１】特開２００７−１９１８４８号公報
【発明の概要】
【発明が解決しようとする課題】
【０００５】
上記特許文献の場合、両袖全体の表裏全面に撥水性を持たせており、両袖の上部分の、水にぬれない部分まで撥水性が持たされていた。このため、不必要なコストがかかっていた。また両袖に、通気性や透湿性をもたせることが考えられておらず、着心地があまり良くなかった。
【０００６】
この発明は、上記背景技術の問題点に鑑みてなされたものであり、低コストで袖口や裾の水濡れや汚れの付着を防ぐことができ、水や汚れを扱う場所で着用しても、通気性を確保して快適に着用することができる衣服を提供することを目的とする。
【課題を解決するための手段】
【０００７】
本発明は、両袖部の袖口または両脚部の裾部分に撥水性を持たせた撥水部が設けられ、前記撥水部には、生地に透湿防水加工が施されている衣服である。前記撥水部は、前記袖部または両脚部の裾部分の表面に設けられている。
【０００８】
前記透湿防水加工は炭化フッ素からなる撥水剤を取り付けるものであり、生地のフィラメントの表面に炭化フッ素を付着させて撥水性を持たせるとともに通気性が確保されるものである。
【０００９】
前記撥水部は、前記袖部の肘付近から袖口側の先端部分に設けられている。また、前記撥水部は、前記脚部の膝付近から裾側の先端部分に設けられているものである。
【発明の効果】
【００１０】
本発明の衣服は、水や汚れを扱う場所で着用しても、袖口や裾の水濡れや汚れの付着を防ぎ、なおかつ通気性を確保して快適に着用することができる。両袖の袖口側の先端部分、または両脚部の裾側の先端部分のみに撥水部が設けられているため、コストを低く抑えることができる。撥水部は、撥水性と透湿性を備えているため、汗で蒸れることがなく快適に着用することができる。
【図面の簡単な説明】
【００１１】
【図１】この発明の第一実施形態の上着の正面図である。
【図２】この発明の第二実施形態のタイツの正面図である。
【発明を実施するための形態】
【００１２】
以下、この発明の実施形態について図面に基づいて説明する。図１はこの発明の衣服の第一実施形態を示すもので、この実施形態の衣服は上着１０であり、ゴルフや野球等に着用するインナーである。生地は、ストレッチ性のある編物（２ＷＡＹトリコット、ベア天竺等）である。
【００１３】
図１は上着１０の正面を示したものであり、上着１０は前見頃１２と、図示しない後見頃、右袖部１４、左袖部１６で作られている。右袖部１４の、肘付近から袖口１４ａの先端部分には、撥水性を持たせた撥水部１８が生地表面に設けられている。撥水部１８は、生地の身体と反対側となる表側面に撥水剤が付けられて設けられている。撥水剤は、例えばナノ粒子の炭化フッ素から成り、生地のフィラメント１本１本の表面にナノ粒子の炭化フッ素が付着して撥水性を付与している。なお生地の伸縮性と通気性は維持されている。左袖部１６の、肘付近から袖口１６ａの先端部分にも同様に、撥水性を持たせた撥水部１８が設けられている。
【００１４】
次に、この実施形態の上着１０の使用方法について説明する。ゴルフや野球等をする際にこの上着１０を着用し、上着１０の上に半袖のゴルフウエアや野球のユニフォーム等を着る。このとき着用者の腕の、肘から袖口にかけて、撥水部１８が形成されている。
【００１５】
この実施形態の上着１０によれば、水や汚れを扱う場所で着用しても、袖口１４ａ，１６ａの水濡れやや汚れの付着を防ぐことができる。そして、袖口１４ａ，１６ａが濡れたり汚れたりしないため、冷たくなったり外観が悪くなったりすることがなく、快適に着用することができる。また、汚れが付きにくくなることから洗濯の作業が容易となる。袖の必要な袖口１４ａ，１６ａ付近のみに撥水加工が施され、コストを抑えることができる。撥水部１８を形成する加工は、繊維のフィラメント１本１本の表面をナノ粒子の炭化フッ素で覆うことで、強力な撥水性を発揮するものであり、確実に水濡れや汚れの付着を防止することができる。また、撥水加工は高温で加工処理してあるため、１００回以上の洗濯に耐える耐久性撥水性能を保持することができる。撥水加工は、生地全体をコーティングしていないので、生地本来の通気性を損なわず、気化した水蒸気を通過することができ、汗を発散して快適な着心地を得ることができる。また、撥水加工は生地の伸縮性を維持するため、体の動きを妨げることがなく円滑に運動することができる。
【００１６】
なお、この実施形態の上着１０は、ゴルフや野球等の運動用として着用するインナー以外に、介護士や看護士等の医療従事者が着用する白衣や制服等でもよい。医療従事者は頻繁に手を洗うが、手を洗うたびに袖口をまくる必要がなく、作業効率が低下せず便利である。
【００１７】
次にこの発明の衣服の第二実施形態について、図２に基づいて説明する。この実施形態の衣服は下半身に密着して着用するタイツ２２であり、生地は、ストレッチ性のある編物（２ＷＡＹトリコット、ベア天竺等）である。
【００１８】
図１はタイツ２２の正面を示したものであり、タイツ２２は、右脚部２４、左脚部２６で作られている。右脚部２４と左脚部２６の裾部分２４ａ，２６ａから膝付近までは、撥水性を持たせた撥水部２８が設けられている。撥水部２８は、上記実施形態と同様に、生地の身体と反対側となる表側面に撥水剤が取り付けられて設けられている。撥水剤は、ナノ粒子の炭化フッ素から成り、生地のフィラメント１本１本の表面にナノ粒子の炭化フッ素が取り付けられて撥水性を付与している。なおかつ生地の伸縮性と通気性が維持されている。左脚部２６の、膝付近から先端部分にも同様に、撥水性を持たせた撥水部２８が設けられている。
【００１９】
次に、この実施形態のタイツ２２の使用方法について説明する。このタイツ２２も、屋外のスポーツをする際にスポーツウエアのインナーとして着用する。このとき着用者の脚部の、膝から足首にかけて、撥水部２８で覆われる。
【００２０】
この実施形態のタイツ２２によれば、上記実施形態と同様の効果があり、水や汚れを扱う場所で着用しても、裾の水濡れや汚れの付着を防ぐことができる。裾が濡れたり汚れたりしないため、快適に着用することができる。また、汚れが付きにくくなることから洗濯の作業が容易となる。しかも、通気性があるため、気化した水蒸気を通過することができ、汗を発散して足が蒸れることがなく、快適な着心地を得ることができる。また、生地の伸縮性を維持するため、体の動きを妨げることがなく円滑に運動することができる。
【００２１】
この実施形態のタイツ２２の下端部は、くるぶし付近でカットされたものの他、つま先を包む袋状のものでも良く、形状は問わない。また、タイツ以外にレンギスやスパッツに適用しても良い。
【００２２】
なお、この発明の衣服は上記各実施形態に限定されず、上着とタイツの他に、各種のニット製品、作業服、スポーツウエア等、いろいろな上着に応用することができる。また、スカート等の下に着用するストッキングに適用しても良い。撥水部は、炭化フッ素による加工の他に、シリコーン樹脂製等の撥水剤による撥水加工で設けられてもよい。撥水部の面積や形状は自由に変更可能であり、肘付近に達するものの他に、袖口周辺のみに設けられている短いものでもよい。
【符号の説明】
【００２３】
１０  上着
１２  前見頃
１４  右袖部
１４ａ，１６ａ  袖口
１６  左袖部
１８，２８  撥水部
【図１】
2011122278.tif 000003
【図２】
2011122278.tif 000004